【手続補正書】
【提出日】平成16年5月18日(2004.5.18)
【手続補正１】
【補正対象書類名】明細書
【補正対象項目名】特許請求の範囲
【補正方法】変更
【補正の内容】
【特許請求の範囲】
【請求項１】
表示装置に表示させる２次元または３次元のオブジェクトを生成する方法であって、
任意の形状を有する複数のオブジェクトを生成した後、表示装置に表示された状態における選択操作イベントに対し各オブジェクトを操作対象に含めるかを決める被選択基準をオブジェクト毎に個別にまたはまとめて設定し記憶装置に保存するステップを備えることを特徴とするオブジェクトの生成方法。
【請求項２】
前記被選択基準として、各オブジェクトに関連する他のオブジェクトを操作対象にするかを決める被選択基準を有することを特徴とする請求項１に記載のオブジェクトの生成方法。
【請求項３】
前記被選択基準として、自オブジェクトまたは他オブジェクトが優先して操作対象として選択されるように決定する被選択基準を有することを特徴とする請求項１または２に記載のオブジェクトの生成方法。
【請求項４】
前記被選択基準として、選択操作イベントに対し反応するか否かを決める反応可否基準を有することを特徴とする請求項１〜３のいずれか一項に記載のオブジェクトの生成方法。
【請求項５】
前記被選択基準を関数として設定し記憶装置に保存することを特徴とする請求項１〜４のいずれか一項に記載のオブジェクトの生成方法。
【請求項６】
表示装置に表示させる２次元または３次元のオブジェクトを生成する方法であって、
任意の形状を有する複数のオブジェクトを生成した後、表示装置に表示された状態における選択操作イベントに対し各オブジェクトを操作対象に含めるかを決める被選択権決定処理をオブジェクト毎に個別にまたはまとめて設定し記憶装置に保存する保持させるステップを備えることを特徴とするオブジェクトの生成方法。
【請求項７】
選択操作イベントに対する被選択基準を保持した複数の２次元または３次元のオブジェクトを記憶装置から読み出して表示装置に表示させ、その表示されたオブジェクトへの選択操作イベントに対しいずれのオブジェクトを選択するかを制御するオブジェクトの選択制御方法であって、
表示画面上における選択操作イベントを、予め設定された規則によって当該選択操作イベントの位置に応じて決定された選択候補オブジェクト群内に存在する全てのオブジェクトに伝達するステップと、
伝達したオブジェクトからの応答を受け、その応答内容のうち予め設定した選択条件を満たす１つまたは複数のオブジェクトを操作対象として選択するステップと
を備えることを特徴とするオブジェクトの選択制御方法。
【請求項８】
前記選択条件として、表示色が不透明で最も視点側に位置するオブジェクトを選択する条件が設定されていることを特徴とする請求項７に記載のオブジェクトの選択制御方法。
【請求項９】
前記選択条件として、表示色に拘わらず最も視点側に位置するオブジェクトを選択する条件が設定されていることを特徴とする請求項７に記載のオブジェクトの選択制御方法。
【請求項１０】
前記選択条件として、選択操作イベントに対する反応可否基準として反応可が設定されているオブジェクトのうち最も視点側に位置するオブジェクトを選択する条件が設定されていることを特徴とする請求項７に記載のオブジェクトの選択制御方法。
【請求項１１】
表示装置に表示させる２次元または３次元のオブジェクトのデータ構造であって、
任意の形状を規定する第１のデータ部と、表示装置に表示された状態における選択操作イベントに対し各オブジェクトを操作対象に含めるかを決める被選択基準の第２のデータ部を保持することを特徴とするオブジェクトのデータ構造。
【請求項１２】
前記第２のデータ部を関数として保持することを特徴とする請求項１１に記載のオブジェクトのデータ構造。
【請求項１３】
複数のオブジェクトを記憶装置から読み出して表示装置に表示させ、その表示されたオブジェクトへの選択操作イベントに対しいずれのオブジェクトを選択するかを制御するオブジェクトの選択制御方法であって、
画面上に表示されたのオブジェクトのうち、特定のひとつまたは複数を着目オブジェクトとして認識する手段と、
特定の契機によって、前記着目オブジェクトを他のオブジェクトに切替る手段と、
特定の告知態様によって、着目オブジェクトがいずれのオブジェクトであるかをユーザに告知する手段と、
特定の契機によって、その時点での着目オブジェクトを選択オブジェクトとして確定する手段と
を備えることを特徴とするオブジェクトの選択制御方法。
【請求項１４】
前記着目オブジェクト切替えの契機として、ユーザの特定操作を契機とすることを特徴とする請求項１３に記載のオブジェクトの選択制御方法。
【請求項１５】
前記着目オブジェクト切替えの契機として、マウスクリック操作を契機とすることを特徴とする請求項１３に記載のオブジェクトの選択制御方法。
【請求項１６】
前記着目オブジェクト切替えの契機として、特定キーの押下を契機とすることを特徴とする請求項１３に記載のオブジェクトの選択制御方法。
【請求項１７】
前記着目オブジェクト切替えの契機として、一定周期の時間経過を契機とすることを特徴とする請求項１３に記載のオブジェクトの選択制御方法。
【請求項１８】
前記着目オブジェクト切替えの契機として、マウス押下操作を継続した状態における一定周期の時間経過を契機とすることを特徴とする請求項１３に記載のオブジェクトの選択制御方法。
【請求項１９】
前記選択オブジェクト確定の契機として、ユーザの特定操作を契機とすることを特徴とする請求項１３に記載のオブジェクトの選択制御方法。
【請求項２０】
前記選択オブジェクト確定の契機として、マウスクリック操作を契機とすることを特徴とする請求項１３に記載のオブジェクトの選択制御方法。
【請求項２１】
前記選択オブジェクト確定の契機として、特定キーの押下を契機とすることを特徴とする請求項１３に記載のオブジェクトの選択制御方法。
【請求項２２】
前記選択オブジェクト確定の契機として、一定周期の時間経過を契機とすることを特徴とする請求項１３に記載のオブジェクトも選択制御方法。
【請求項２３】
前記選択オブジェクト確定の契機として、マウス押下操作を継続した状態における一定周期の時間経過を契機とすることを特徴とする請求項１３に記載のオブジェクトの選択制御方法。
【請求項２４】
前記着目オブジェクトの告知態様として、着目オブジェクトをハイライト表示することを特徴とする請求項１３に記載のオブジェクトの選択制御方法。
【請求項２５】
前記着目オブジェクトの告知態様として、着目オブジェクトが視点側から何番目のオブジェクトであるかを表す番号をマウスカーソル付近に表示すること特徴とする請求項１３に記載のオブジェクトの選択制御方法。
【請求項２６】
前記着目オブジェクトの告知態様として、着目オブジェクトの形状をマウスカーソル付近に表示することを特徴とする請求項１３に記載のオブジェクトの選択制御方法。
【請求項２７】
前記着目オブジェクトの告知態様として、着目オブジェクトの色をマウスカーソル付近に表示することを特徴とする請求項１３に記載のオブジェクトの選択制御方法。
【請求項２８】
前記着目オブジェクトの告知態様として、マウスカーソルを、着目オブジェクトの形状に変化させることを特徴とする請求項１３に記載のオブジェクトの選択制御方法。
【請求項２９】
前記着目オブジェクトの告知態様として、マウスカーソルの色を着目オブジェクトの色に変化させることを特徴とする請求項１３に記載のオブジェクトの選択制御方法。
【請求項３０】
前記着目オブジェクトの告知態様として、着目オブジェクトの視点側にあるオブジェクトを透明に変化させ、かつ着目オブジェクトをハイライト表示することを特徴とする請求項１３に記載のオブジェクトの選択制御方法。
【請求項３１】
前記着目オブジェクトの告知態様として、着目オブジェクトの視点側にあるオブジェクトをワイヤフレーム表示に変化させ、かつ着目オブジェクトをハイライト表示することを特徴とする請求項１３に記載のオブジェクトの選択制御方法。
【請求項３２】
前記着目オブジェクトの告知態様として、着目オブジェクトをハイライト表示させ、かつ他のオブジェクトからクリッピングされることなく画面に表示することを特徴とする請求項１３に記載のオブジェクトの選択制御方法。
【請求項３３】
前記着目オブジェクトの告知態様として、着目オブジェクトの直前位置に視点を移動させた状態のオブジェクトを表示することを特徴とする請求項１３に記載のオブジェクトの選択制御方法。
【請求項３４】
前記確定の契機より以前は、オブジェクトの全体または一部を半透明で表示することを特徴とする請求項１３に記載のオブジェクトの選択制御方法。